(57)【要約】【課題】  Ｌ形街渠においてのエプロン傾斜を緩和し、車道部路肩横断勾配の変化を無くしても排水能力が低下しないアスファルト舗装自転車走行帯を形成する。【解決手段】  渠底近くが上面舗装止めとなる切下げエプロンでスリット流入副水路付き街渠用Ｌ形ブロックを用い、エプロン面の一部も含めてアスファルト上面舗装とし排水および自転車走行に適した路側帯を設ける。【選択図】図１
2019100166.tif 000002
【特許請求の範囲】
【請求項１】
車道部上面舗装から連続する街渠底近くまでのエプロン舗装によって、段差や目地を被覆し自動車道路肩とＬ形通水断面街渠エプロンにまたがって自転車走行用アスファルト道路側帯を築造するプレキャストコンクリートＬ形歩車道境界排水ブロックであって、
車道側面端を主舗装止めとし、縁石側面とのコーナー部渠底のスリット開口と直結する副水路を縁石下からエプロン下にもまたがる内径断面に形成したＬ形状ブロックで、通水断面内の渠底近くを上面舗装止めとするエプロン舗装厚さ分の切下げエプロンを街渠エプロン面と平行に設けてなり、
主舗装を前記主舗装止めによって固定し、Ｌ形通水断面の街渠を形成する基本構造を維持したまま前記上面舗装止めまで前記エプロン舗装を施し、車道部からエプロンへの構断勾配の急変化が無く、併せて縁石の高さ変化にかかわらずスリットが道路沿い同一線に連続ないし断続して形成され渠底から前記スリットで直結する副水路により路面排水能力を補って自転車走行に適した道路側帯を構成することを特徴とする副水路付きＬ形歩車道境界排水ブロック。
【発明の詳細な説明】
【技術分野】
【０００１】  本発明は、道路の車道側帯に使用し、Ｌ形排水部エプロンをアスファルト舗装の自転車走行用に形成するスリット付きＬ形歩車道境界排水ブロックに関する。
【背景技術】
【０００２】  プレキャストコンクリートＬ形街渠用歩車道境界ブロックは側面をアスファルト舗装止とし、一般にエプロン幅５０ｃｍがＬ形状通水断面となる雨水排水施設を形成し、道路縦断勾配に沿って集水桝へ排水する。【０００３】  かまぼこ状断面の車道部は路肩がおおむね１．５％〜２％の横断勾配でＬ形排水部と接し、エプロンが幅５０ｃｍ６％傾斜面の通水断面となっている。
近時、車道の側帯を自転車走行用とする必要が高まっているが、国が示す「安全で快適な自転車利用環境創出ガイドライン」では、自転車の安全性向上を図るため側溝などについて、エプロン幅が狭く自転車通行空間を広く確保できるものや平坦性の高いものへの置き換えや滑り止め加工をはじめ、側溝との舗装すりつけ等の段差等にも留意することとされていて、路肩の横断勾配とおおむね一致するエプロン２％で全体をアスファルト舗装とすることが求められる。
車道用舗装道路おいては、路肩端のエプロンに歩車道境界ブロック部を加えた部分は排水施設に必要であり、このＬ形排水部を維持した上で自転車走行に適合する路面を形成することである。
【先行技術文献】
【０００４】
【特許文献１】特開２００３−２５３６１１号公報
【発明の概要】
【発明が解決しようする課題】
【０００５】  歩車道境界ブロックによるＬ形排水部構造においては、車道部側端のアスファルト主舗装止めとする基本構造を維持したまま、エプロン面の一部も含めてアスファルト上面舗装とし、併せて車道部路肩からエプロンへの横断勾配急変化を緩和させるか又は無くすることにより自転車走行に適合させる。
この場合、エプロン部Ｌ形傾斜面が６％から２％に平坦化しても、排水断面の減少による排水能力の低下分を補うことができるものとする。
道路側帯に沿って連続する歩車道境界ブロックの縁石高さは標準部で１５ｃｍ〜２５ｃｍとするほか、車両等の横断乗入箇所では２ｃｍ〜５ｃｍ程度と低くするため、高低交互に設置されても排水機能に変化が生じないことが必要とされる。
先行技術では、縁石高標準部において縁石の直下に中心線がほぼ一致する副水路断面が縁石幅より狭い内径幅で位置しているので、街渠からの排水流入スリットは側面から縁石内を通って副水路に達するものとなっている。
しかし、低い縁石の横断乗入箇所との高低交互設置においては同一位置にスリットを設置出来ず、均一な排水効果を得にくい。
【課題を解決するための手段】
【０００６】  前記課題を解決するため本発明のＬ形歩車道境界ブロックは、縁石下から中心線をずらしエプロン下にもまたがる内径断面の副水路があり、車道寄外側にエプロン渠底部を備えたＬ形状断面となっている。
縁石側面と渠底とはコーナー部エプロン面で間隔を設けてスリットを形成して内包する副水路の開口部とする。
エプロン渠底部は切下げ小段による上面舗装止めと、主舗装止めとがあり、自転車走行用道路側帯はエプロン切下げ小段面に車道部から渠底の上面舗装止めまで連続する上面アスファルト舗装とするものである。
【０００７】  エプロン舗装は車道部の上面舗装をそのまま延長して、横断勾配を６％から車道路肩の１．５％〜２％に近づけた結果、Ｌ形排水部の断面縮小で通水能力が低下してもスリット開口副水路で補うものである。
【０００８】  Ｌ形歩車道境界排水ブロックの縁石は、下部副水路の一方のみ側壁を高くした頭部が副水路を覆う張出し構造であり、張出し先端縁石側面と渠底とのコーナー部エプロン面にスリット開口を形成している。
縁石高さが道路側帯に沿いに高低交互に設置されてもスリット開口がエプロン面にあり縁石高さに影響されず副水路への排水機能は変化しない。
【発明の効果】
【０００９】  Ｌ形歩車道境界ブロックによる主舗装止め端面のずれや段差および歩車道境界ブロックの連続布設接合部目地が上面舗装に被覆され自転車走行に適した路側帯が形成される。
さらに車道部の横断勾配１．５％〜２％と同じエプロン部勾配によって自転車走行上の安全が高まる。
【００１０】  Ｌ形排水断面渠底コーナー部で副水路に直結するスリット開口によって水はけがよく、降雨時初期の排水がよく、自転車通行においても安全が高まる。
【００１１】  スリット開口が道路延長に沿って歩車道境界縁石の高低にかかわらず同一線に連続して均一な排水効果があり、副水路内の清掃等の維持管理にも適している。
【図面の簡単な説明】
【００１２】
【図１】  路盤面に直接設置し、アスファルト舗装の自転車走行用に形成した街渠用Ｌ形歩車道境界排水ブロックの実施例を示す切欠斜面図である。
【図２】  図１のＡ〜Ａ線にそった断面図である。
【図３】  図１のＢ〜Ｂ線にそった断面図である。
【図４】  図２の実施例におけるＬ形歩車道境界排水ブロックの斜面図である。
【図５】  図３の実施例におけるＬ形歩車道境界排水ブロックの斜面図である。
【図６】  スリットが断続するＬ形歩車道境界ブロックの実施例を示す切欠斜面図である。
【図７】  スリットが断続するＬ形歩車道境界ブロックの横断乗入部用の実施例を示す切欠斜面図である。
【発明を実施するための形態】
【００１３】  Ｌ形歩車道境界排水ブロックは高さ１５ｃｍ〜２５ｃｍの縁石と一体でおおむねエプロン幅１０ｃｍ〜１５ｃｍ、渠底に向って２％傾斜の三角形状通水断面とする街渠を形成し、縁石側面とエプロン渠底とのコーナー部エプロン面にスリットが直下の副水路に向って開口している。
車道の舗装止め部はおおむね厚さ２０ｃｍ〜２５ｃｍで縁石部から張出してＬ形エプロン部を形成している。副水路は角形、円形等とし、縁石下からＬ形エプロン部にまたがる内径幅で設けるものであり、スリットが縁石下を通らず副水路に直結する。
長さは０．６ｍ、１ｍ、２ｍ等とするプレキャストコンクリートで供給され、道路縦断勾配に沿い基礎上に順勾配施工で布設する。
歩道への横断乗入箇所は、縁石の高さが低く副水路上部を覆う張出し版となり縁石側面とエプロン渠底のコーナー部にスリット付とするＬ型ブロックとなる。
本発明のＬ形ブロックは、エプロンを切下げ渠底の近くに上面舗装止めが形成され、車道の上面舗装がそのままエプロン舗装として延長されるものである。
【００１４】  本発明のＬ形ブロックはアスファルト上面舗装厚さに対応し、おおむね５ｃｍの平行切下げエプロンを形成し、渠底近くの上面舗装止めまでエプロン舗装とするものであるため、Ｌ形ブロックを構成するエプロン自体の必要厚さは底面で調整する。
【００１５】  上面舗装を透水性の場合にはエプロン舗装の端末となる上面舗装止め沿いにエプロン１個毎に渠低下を横切る流水口から副水路へ浸透水が流入し、道路縦断勾配により集水ますへ排水する。
【００１６】  副水路はおおむね内幅１５ｃｍ内高１０ｃｍ〜１５ｃｍ以上、内底面高が上面舗装止め以下でＬ形通水断面部とスリットで直結し、街渠の排水能力を充足するが、維持管理と自転車走行安全上スリット幅を１ｃｍ〜２ｃｍとしている。
【実施例】
【００１７】  図１に路盤面へ直接設置し、エプロンをアスファルト舗装の自転車走行用に形成した街渠用Ｌ形歩車道境界排水ブロックの実施例を示す。
図１の実施例は図２図３図４図５図６図７にも示すとおり縁石とエプロン一体のＬ形歩車道境界排水ブロック（１）で、エプロン（２）を切下げ、上面舗装止め（７）までエプロン舗装（１０）とするスリット（１２）が直結する縁石部内の副水路（２０）付き街渠施設である。
エプロン（２）は渠底近くに上面舗装止め（７）が長さ方向に連続し、切下げエプロン（４）とでフーチング付縁石とするＬ形状ブロックであり、縁石部（３）の側面とエプロン（２）とのコーナーのエプロン面にスリット（１２）を設け、直結する副水路（２０）を形成している。【００１８】  上面舗装止め（７）には図１図４図５図６図７に示すとおり両端面に流出口（１３）があり、排水性舗装での浸透水がＬ形歩車道境界排水ブロック１個毎に渠低下を横切って副水路（２０）へ流入する。
スリット（１２）は図１図２図３図４図５に示すとおり街渠（１５）に沿って、連続するほか、図６図７に示すとおり適宜間隔の固定部（２５）で断続することも可能であり、固定部上面の両スリットを同じ幅で深さ１ｃｍ〜１．５ｃｍの浅い溝により連続させることもある。（図示省略）。【００１９】  図５図７の実施例は歩車道乗入れ横断箇所における縁石低頭タイプでスリットが図１に示すように一般部と同一線連続し、エプロン（２）は街渠近くに上面舗装止め（７）が長さ方向に連続する切下げエプロン（４）付きで縁石部（３）と一体の副水路（２０）が貫通するＬ形歩車道境界排水ブロック（１）を構成している。
【産業上の利用可能性】
【００２０】  本発明のＬ形歩車道境界排水ブロックは、従来の一般流通街渠用Ｌ形製品と同等に使用でき普及面での制約は生じない。
さらに、生産供給においても在来の道路用コンクリート製品と同等に安価に流通する。
【符号の説明】
【００２１】１    Ｌ形歩車道境界排水ブロック
２    エプロン
３    縁石部
４    切下げエプロン
５    Ｌ形エプロン部
６    主舗装止め
７    上面舗装止め
８    主舗装
９    上面舗装
１０  エプロン舗装
１１  水抜
１２  スリット
１３  流出口
１５  街渠
１６  路肩
１７  歩道
２０  副水路
２５  固定部
３０  基礎材
３１  敷モルタル
【図１】
2019100166.tif 000003
【図２】
2019100166.tif 000004
【図３】
2019100166.tif 000005
【図４】
2019100166.tif 000006
【図５】
2019100166.tif 000007
【図６】
2019100166.tif 000008
【図７】
2019100166.tif 000009
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
車道部上面舗装をそのまま延長した街渠底近くまでのエプロン舗装によって、段差や目地を被覆して自動車道路肩とＬ形通水断面街渠エプロンにまたがって自転車走行用アスファルト道路側帯を設置し、内部の副水路に直結するスリット付の街渠施設を築造するプレキャストコンクリートＬ形歩車道境界排水ブロックであって、
車道側面端を主舗装止めとし、縁石側面とのコーナー部渠底のエプロン面に開口するスリットが縁石下を通らず直結するための副水路を縁石下からエプロン下にもまたがる内径断面に形成したＬ形状ブロックで低い縁石でもスリットが同一位置で高低均一の排水効果を得るものとし、通水断面内の街渠底近くを上面舗装止めとする車道部の上面舗装をそのまま延長したエプロン舗装厚さ分の切下げエプロンを街渠エプロン面と平行に設けてなり、
主舗装を前記主舗装止めによって固定し、前記上面舗装止めまで前記エプロン舗装を施してＬ形通水断面の街渠を形成することにより、車道部からエプロンへの横断勾配の急変化が無く、併せて縁石高さが道路側帯沿い低い縁石の横断乗入箇所との高低交互設置においても副水路への排水機能の変化は無く、路面排水能力を補って降雨時初期排水もよい自転車走行に適した道路側帯を構成することを特徴とする副水路付きＬ形歩車道境界排水ブロック。